(57)【要約】【課題】伸縮可能な給送トレイのロック機構の操作性を低下させることなく、給送トレイ内への異物や埃の侵入を抑制したシート搬送装置を提供する。【解決手段】当該装置は、第１トレイ７１、第１位置及び第２位置の間を第１トレイ７１に対して移動する第２トレイ７２、及び第２トレイ７２の移動を規制するロック機構９０を有する給送トレイ２０と、搬送部と、倒伏位置及び起立位置の間を回動可能に給送トレイ２０に支持された排出トレイとを備える。ロック機構９０は、第１トレイ７１及び第２トレイ７２の両方に係合する係合位置及び第１トレイ７１及び第２トレイ７２の一方との係合が解除される係合解除位置の間を移動する係合部材９１と、排出トレイの回動軸線に重畳する位置において、係合部材９１を係合位置に位置させるロック位置及び係合部材９１を係合解除位置に位置させるロック解除位置の間を移動する操作部材９２とを有する。【選択図】図３
2015110470.tif 000002
【特許請求の範囲】
【請求項１】
シートを支持する給送トレイと、上記給送トレイに支持されたシートを搬送する搬送部と、上記搬送部によって搬送されたシートを支持する排出トレイと、を備えるシート搬送装置であって、
上記給送トレイは、
シートを支持する第１支持面が上面に形成された第１トレイと、
上記第１支持面に連なってシートを支持する第２支持面が上面に形成されており、上記第１支持面と上記第２支持面とが重畳する第１位置及び上記第１支持面と上記第２支持面との重畳面積が上記第１位置よりも小さい第２位置の間を上記第１トレイに対して移動する第２トレイと、
上記第１トレイに対する上記第２トレイの移動を規制するロック機構と、を有しており、
上記第２位置における上記第２トレイは、その一部が露出され、
上記排出トレイは、上記第２位置において露出された上記第２トレイの上記第２支持面を覆う倒伏位置及び上記倒伏位置より起立した起立位置の間を回動可能に上記給送トレイに支持されており、
上記ロック機構は、
上記第２位置において上記第１トレイ及び上記第２トレイが重畳する位置に設けられており、上記第１トレイ及び上記第２トレイの両方に係合する係合位置及び上記第１トレイ及び上記第２トレイの少なくとも一方との係合が解除される係合解除位置の間を移動する係合部材と、
上記排出トレイの回動軸線に重畳する位置において上記第１トレイに設けられており、上記係合部材を上記係合位置に位置させるロック位置及び上記係合部材を上記係合解除位置に位置させるロック解除位置の間を移動する操作部材と、を有するシート搬送装置。
【請求項２】
上記ロック機構は、さらに、
上記係合部材及び上記操作部材に接続されており、上記ロック位置及び上記ロック解除位置の一方から他方への上記操作部材の移動によって、上記係合位置及び上記係合解除位置の一方から他方へ上記係合部材を移動させる向きに回動するリンク部材と、
上記操作部材を上記ロック位置へ向けて付勢する付勢部材と、を有する請求項１に記載のシート搬送装置。
【請求項３】
上記係合部材及び上記操作部材は、上記給送トレイに支持されたシートが上記搬送部によって給送される給送向きに沿った第１方向に離間して設けられており、各々が上記第１方向に直交する第２方向に移動可能に構成されており、
上記リンク部材は、上記第１方向における上記係合部材及び上記操作部材の間の位置を回動中心として回動する請求項２に記載のシート搬送装置。
【請求項４】
上記操作部材は、上記第２方向の一方側にずれた位置において上記第１トレイに支持されている請求項３に記載のシート搬送装置。
【請求項５】
上記第１トレイは、上記第２方向の中央で且つ上記操作部材に隣接する位置に設けられており、上記第１支持面に支持されたシートの上記給送向きの上流側の端部に当接する当接部材を有する請求項４に記載のシート搬送装置。
【請求項６】
上記係合部材は、上記倒伏位置の上記排出トレイによって覆われる位置に配置されている請求項１から５のいずれかに記載のシート搬送装置。
【発明の詳細な説明】
【技術分野】
【０００１】
本発明は、複数のサイズのシートを支持可能な給送トレイを備えるシート搬送装置に関する。
【背景技術】
【０００２】
従来より、複写機やプリンタなどの画像記録装置には、シート搬送装置が搭載されている。シート搬送装置は、シートを堆積状態で支持する給送トレイと、給送トレイに支持されたシートを搬送する搬送部とを備える。また、近年の画像記録装置の小型化の要請に伴って、給送トレイも小型化される。その結果、画像記録装置に装着される給送トレイには、大きいサイズのシートを収容することは困難となる。
【０００３】
上記問題を解決するため、特許文献１には、基体部と、基体部に対して出し入れ方向に移動可能なスライド部と、スライド部の移動を規制するロック機構と、を備える給紙カセットが開示されている。このロック機構は、換言すれば、基体部に対するスライド部の位置を固定する機構である。この給紙カセットは、基体部に対してスライド部を移動させることによって、給紙カセット全体の長さを伸長／収縮可能な構成を備えている。この構成により給紙カセット内に収容されるシートの最大サイズを変更することができる。
【０００４】
すなわち、いわゆる小さいサイズのシート（最も収縮させた状態の給紙カセットに収容可能なサイズのシート）が給紙カセットに収容される場合において、ユーザは、給紙カセットを伸長させる向きにスライド部を基体部に対して移動させる必要はない。換言すれば、給紙カセット全体の長さは最も収縮された状態の長さでよい。一方、いわゆる大きいサイズのシート（最も収縮させた状態の給紙カセットに収容不能なサイズのシート）が給紙カセットに収容される場合において、ユーザは、給紙カセットを伸長させる向きにスライド部を基体部に対して移動させればよい。そして、伸長した状態の給紙カセットが機器本体に装着された場合、給紙カセットの一部が機器本体の外部に露出することになる。
【０００５】
しかしながら、この給紙カセットには、シートが収容されている部分を覆う部材が設けられていないので、伸長した状態の給紙カセット内のシートが外部に直接露出することになる。このような状態が長時間継続すると、給紙カセット内に異物や埃が侵入し易くなり、シートへの画像形成に支障を来す虞がある。
【０００６】
一方、特許文献２には、特許文献１に記載の給紙カセットと同様に、収容されるシートのサイズに応じて伸長／収縮可能な給紙カセットが開示されている。この給紙カセットには、シートが収容されている部分の一部を覆う排紙トレイが設けられている。この排出トレイは給紙カセットに対して回動可能に給紙カセットに支持されている。この給紙カセットが伸長された状態で機器本体に装着された場合、給紙カセットの一部が機器本体の外部に露出することになる。しかし、機器本体の外部に露出した給紙カセットの一部は排紙トレイによって覆われるので、給紙カセット内のシートは外部に直接露出されない。従って、特許文献１に記載の給紙カセットとは異なり、給紙カセット内に異物や埃が侵入し難くなる。
【先行技術文献】
【特許文献】
【０００７】
【特許文献１】特開２００６−８３７７号公報
【特許文献２】特開２０１０−６５９２号公報
【発明の概要】
【発明が解決しようとする課題】
【０００８】
しかしながら、特許文献２に記載の排紙トレイには、ユーザがロック機構の操作部を操作するための貫通部が設けられているため、この貫通部から僅かながら給紙カセット内に異物や埃が侵入する可能性がある。
【０００９】
本発明は、上記の事情に鑑みてなされたものであり、その目的は、伸縮可能な給送トレイのロック機構の操作性を低下させることなく、給送トレイ内への異物や埃の侵入を抑制したシート搬送装置を提供することにある。
【課題を解決するための手段】
【００１０】
(1)  本発明に係るシート搬送装置は、シートを支持する給送トレイと、上記給送トレイに支持されたシートを搬送する搬送部と、上記搬送部によって搬送されたシートを支持する排出トレイと、を備える。上記給送トレイは、シートを支持する第１支持面が上面に形成された第１トレイと、上記第１支持面に連なってシートを支持する第２支持面が上面に形成されており、上記第１支持面と上記第２支持面とが重畳する第１位置及び上記第１支持面と上記第２支持面との重畳面積が上記第１位置よりも小さい第２位置の間を上記第１トレイに対して移動する第２トレイと、上記第１トレイに対する上記第２トレイの移動を規制するロック機構と、を有している。  上記第２位置における上記第２トレイは、その一部が露出されている。上記排出トレイは、上記第２位置において露出された上記第２トレイの上記第２支持面を覆う倒伏位置及び上記倒伏位置より起立した起立位置の間を回動可能に上記給送トレイに支持されている。上記ロック機構は、上記第２位置において上記第１トレイ及び上記第２トレイが重畳する位置に設けられており、上記第１トレイ及び上記第２トレイの両方に係合する係合位置及び上記第１トレイ及び上記第２トレイの少なくとも一方との係合が解除される係合解除位置の間を移動する係合部材と、上記排出トレイの回動軸線に重畳する位置において上記第１トレイに設けられており、上記係合部材を上記係合位置に位置させるロック位置及び上記係合部材を上記係合解除位置に位置させるロック解除位置の間を移動する操作部材とを有する。
【００１１】
上記構成によれば、排出トレイを倒伏位置に位置させた状態で第１トレイ側から操作部材を操作することができ、排出トレイを起立位置に位置させた状態で第１トレイ及び第２トレイの両側から操作部材を操作することができる。すなわち、ロック機構の操作性が向上する。また、操作部材をユーザに操作させるための貫通孔を第２支持面を覆う排出トレイに設ける必要がないので、給送トレイ内への異物や埃の侵入を抑制することができる。
【００１２】
(2)  好ましくは、上記ロック機構は、さらに、上記係合部材及び上記操作部材に接続されており、上記ロック位置及び上記ロック解除位置の一方から他方への上記操作部材の移動によって、上記係合位置及び上記係合解除位置の一方から他方へ上記係合部材を移動させる向きに回動するリンク部材と、上記操作部材を上記ロック位置へ向けて付勢する付勢部材とを有する。
【００１３】
上記構成のように、係合部材と操作部材とをリンク部材で接続することにより、操作部材の移動が係合部材にスムーズに伝達される。また、付勢部材によって操作部材をロック位置へ向けて付勢することにより、ロック機構による規制が意図せず解除されるのを抑制することができる。
【００１４】
(3)  好ましくは、上記係合部材及び上記操作部材は、上記給送トレイに支持されたシートが上記搬送部によって搬送される搬送向きに沿った第１方向に離間して設けられており、各々が上記第１方向に直交する第２方向に移動可能に構成されている。そして、上記リンク部材は、上記第１方向における上記係合部材及び上記操作部材の間の位置を回動中心として回動する。
【００１５】
上記構成のように、係合部材と操作部材との間の位置を回動中心としてリンク部材を回動させることにより、操作部材の移動が係合部材にさらにスムーズに伝達される。
【００１６】
(4)  好ましくは、上記操作部材は、上記第２方向の一方側にずれた位置において上記第１トレイに支持されている。
【００１７】
上記構成のように、操作部材を第２方向の一方側にずらして配置することにより、操作部材の操作性がさらに向上する。
【００１８】
(5)  好ましくは、上記第１トレイは、上記第２方向の中央で且つ上記操作部材に隣接する位置に設けられており、上記第１支持面に支持されたシートの上記搬送向きの上流側の端部に当接する当接部材を有する。
【００１９】
上記構成のように、第２方向の中央に当接部材を配置することにより、第１支持面に支持されたシートの姿勢を安定させることができる。
【００２０】
(6)  例えば、上記係合部材は、上記倒伏位置の上記排出トレイによって覆われる位置に配置されている。
【発明の効果】
【００２１】
本発明によれば、給送トレイの上面の一部を覆う排出トレイの回動軸線に重畳する位置に操作部材を設けることにより、第１トレイ及び第２トレイの両側から当該操作部材を操作することができるので、ロック機構の操作性を低下させることなく、給送トレイ内への異物や埃の侵入を抑制することができる。
【図面の簡単な説明】
【００２２】
【図１】図１は、複合機１０の斜視図である。
【図２】図２は、プリンタ部１１の内部構造を示す模式図である。
【図３】図３は、給送トレイ２０の分解斜視図である。
【図４】図４は、給送トレイ２０及び排出トレイ２１の斜視図であって、（Ａ）は排出トレイ２１を倒伏位置に位置させた状態、（Ｂ）は排出トレイ２１を起立位置に位置させた状態を示す。
【図５】図５は、給送トレイ２０及び排出トレイ２１の斜視図であって、第２トレイ７２が第１位置に位置し、第１中間トレイ１１０が第１収納位置に位置し、第２中間トレイ１３０が中途位置に位置し、第３中間トレイ１５０が第３露出位置に位置し、回動トレイ１６０が突出位置に位置する状態を示す。
【図６】図６は、給送トレイ２０及び排出トレイ２１の斜視図であって、第２トレイ７２が第２位置に位置し、第１中間トレイ１１０が第１収納位置に位置し、第２中間トレイ１３０が第２露出位置に位置し、第３中間トレイ１５０が第３露出位置に位置し、回動トレイ１６０が突出位置に位置する状態を示す。
【図７】図７は、給送トレイ２０及び排出トレイ２１の斜視図であって、第２トレイ７２が第３位置に位置し、第１中間トレイ１１０が第１露出位置に位置し、第２中間トレイ１３０が第２露出位置に位置し、第３中間トレイ１５０が第３露出位置に位置し、回動トレイ１６０が突出位置に位置する状態を示す。
【図８】図８は、第２トレイ７２が第３位置に位置している時の給送トレイ２０の平面図である。
【図９】図９は、第１トレイ７１に対する第２トレイ７２の移動を規制するロック機構９０を説明するための図であって、（Ａ）は第１トレイ７１の裏面図、（Ｂ）は（Ａ）のＢ−Ｂ断面図である。
【図１０】図１０は、第１トレイ７１に対する第２トレイ７２の移動を許容するロック機構９０を説明するための図であって、（Ａ）は第１トレイ７１の裏面図、（Ｂ）は（Ａ）のＢ−Ｂ断面図である。
【図１１】図１１は、本体トレイ１００の下面側の斜視図である。
【図１２】図１２は、第１中間トレイ１１０の斜視図であって、（Ａ）は上面側の斜視図、（Ｂ）は下面側の斜視図である。
【図１３】図１３は、第２中間トレイ１３０の斜視図であって、（Ａ）は上面側の斜視図、（Ｂ）は下面側の斜視図である。
【図１４】図１４は、第３中間トレイ１５０の斜視図であって、（Ａ）は上面側の斜視図、（Ｂ）は下面側の斜視図である。
【図１５】図１５は、回動トレイ１６０の上面側の斜視図である。
【図１６】図１６は、排出トレイ２１の下面側の斜視図であって、第１中間トレイ１１０が第１収納位置に位置し、第２中間トレイ１３０が第２収納位置に位置し、第３中間トレイ１５０が第３収納位置に位置し、回動トレイ１６０が重畳位置に位置する状態を示す。
【図１７】図１７は、排出トレイ２１の下面側の斜視図であって、第１中間トレイ１１０が第１収納位置に位置し、第２中間トレイ１３０が中途位置に位置し、第３中間トレイ１５０が第３露出位置に位置し、回動トレイ１６０が突出位置に位置する状態を示す。
【図１８】図１８は、給送トレイ２０及び排出トレイ２１の縦断面図であって、（Ａ）は図５のＡ−Ａ断面、（Ｂ）は図６のＢ−Ｂ断面、（Ｃ）は図７のＣ−Ｃ断面である。
【図１９】図１９は、対向部１４Ａの位置における筐体１４の縦断面図である。
【発明を実施するための形態】
【００２３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。なお、前後方向８は第１方向の一例であり、左右方向９は第２方向の一例である。
【００２４】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。プリンタ部１１が画像記録装置に相当する。
【００２５】
プリンタ部１１は、前面に開口１３が形成された筐体１４を有している。また、各種サイズの記録用紙を収容可能な給送トレイ２０及び排出トレイ２１が、開口１３から前後方向８に挿抜可能である。筐体１４の底面が、複合機１０が設置される載置面に当接する。図２に示されるように、プリンタ部１１は、給送トレイ２０から記録用紙を給送する給送部１５、記録用紙に画像を記録する記録部２４、第１搬送ローラ対５４、第２搬送ローラ対５５、及びバイパストレイ５０などを備えている。
【００２６】
図１に示されるように、プリンタ部１１の上部には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００２７】
［プリンタ部１１］
以下、プリンタ部１１の詳細な構造が説明される。プリンタ部１１が画像記録装置に相当する。また、プリンタ部１１において記録用紙などのシートを搬送する機構がシート搬送装置に相当する。さらに、給送部１５、第１搬送ローラ対５４、及び第２搬送ローラ対５５が搬送部に相当する。
【００２８】
［給送トレイ２０］
給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に着脱自在に装着される。この給送トレイ２０は、開口１３を通じて筐体１４に対して前後方向８に沿って進退可能である。バイパストレイ５０は、複合機１０の後面側に設けられており、給送トレイ２０とは独立して記録用紙を収容する。バイパストレイ５０の詳細は省略される。
【００２９】
給送トレイ２０は、図４〜図７に示されるように、前後方向８において伸長及び収縮が可能に構成されている。最も収縮された状態の給送トレイ２０は、図１に示されるように、筐体１４の内部に収容される。一方、伸長された状態の給送トレイ２０は、その一部（より詳細には、後述される第２トレイ７２の一部）が筐体１４から露出される。給送トレイ２０に支持された記録用紙が給送部１５によって給送される向きを、特に給送向き１７と定義する。すなわち、図２における給送向き１７は、前後方向８に沿って前方から後方へ向かう向きである。給送トレイ２０の詳細な構成は、後述される。
【００３０】
排出トレイ２１は、図１に示されるように、給送トレイ２０の上側に設けられている。排出トレイ２１は、給送トレイ２０と一体となって、筐体１４に対して進退可能である。排出トレイ２１は、第２搬送ローラ対５５によって排出された記録用紙を支持可能である。排出トレイ２１は、図４に示されるように、左右方向９に延びる回動軸線を中心に回動可能に給送トレイ２０に支持されている。より詳細には、排出トレイ２１は、給送トレイ２０の上方の一部を覆う倒伏位置（図４（Ａ）参照）と、倒伏位置より起立した起立位置（図４（Ｂ）参照）との間を回動する。また、排出トレイ２１は、図４〜図７に示されるように、前後方向８において伸長及び収縮が可能に構成されている。第２搬送ローラ対５５によって排出トレイ２１に記録用紙が排出される向きを、特に排出向き１８と定義する。すなわち、図２における排出向き１８は、前後方向８に沿って後方から前方へ向かう向きである。排出トレイ２１の詳細な構成は、後述される。
【００３１】
［給送部１５］
図２に示されるように、給送部１５は、給送ローラ２５、給送アーム２６、駆動伝達機構２７、及び分離パッド２３を備えている。給送部１５は、給送トレイ２０の上方であって記録部２４の下方に設けられている。給送ローラ２５は、給送アーム２６の回動先端（給送向き１７の下流側の端部）に回転可能に軸支されている。給送アーム２６は、回動基端（給送向きの上流側の端部）に設けられた軸２８を中心として、給送トレイ２０に支持された記録用紙に給送ローラ２５を接離させる方向（矢印２９の方向）に回動する。これにより、給送ローラ２５は、給送トレイ２０の支持面に対して当接及び離間が可能である。
【００３２】
したがって、記録用紙を収容した給送トレイ２０が筐体１４内に装着されたとき、給送ローラ２５は、給送トレイ２０に収容された記録用紙に当接可能である。記録用紙を収容していない給送トレイ２０が筐体１４内に装着されたとき、給送トレイ２０の支持面に給送ローラ２５が当接する位置には分離パッド２３が設けられている。分離パッド２３は、記録用紙に対して、給送トレイ２０の支持面の摩擦係数より大きな摩擦係数を有する材料で形成されている。
【００３３】
給送ローラ２５には、モータ（不図示）の駆動力が駆動伝達機構２７を通じて伝達される。駆動伝達機構２７は、軸２８に伝達された回転を無端ベルトにより給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた後板７６と当接する。その結果、一番上側の記録用紙のみが下側の記録用紙から分離されて搬送される。そして、一番上側の記録用紙よりも下側の記録用紙は、一番上側の記録用紙に引き摺られることなく給送トレイ２０内に収容されたままで保持される。
【００３４】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。湾曲路６５Ａは、記録用紙が通過可能な空間を隔てて対向する外側ガイド部材３０及び内側ガイド部材３１等によって規定されている。直線路６５Ｂは、記録用紙が通過可能な空間を隔てて対向する記録部２４及びプラテン４０等によって規定されている。
【００３５】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。外側ガイド部材３０は、湾曲路６５Ａに沿って記録用紙が搬送されるとき、外側の案内面を構成する部材である。内側ガイド部材３１は、湾曲路６５Ａに沿って記録用紙が搬送されるとき、内側の案内面を構成する部材である。なお、各案内面は、１つの面で構成されていてもよいし、複数のリブの先端面の群として構成されていてもよい。
【００３６】
［第１搬送ローラ対５４及び第２搬送ローラ対５５］
図２に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車ローラ６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。
【００３７】
［記録部２４］
図２に示されるように、第１搬送ローラ対５４と第２搬送ローラ対５５との間に記録部２４が設けられている。記録部２４は、キャリッジ３８と記録ヘッド３９とを備えている。キャリッジ３８は、プラテン４０の後側及び前側に設けられたガイドレール３３、３４によって左右方向９に往復動可能に支持されている。ガイドレール３４には、公知のベルト機構が設けられている。キャリッジ３８は、ベルト機構の無端ベルトと連結されており、無端ベルトの回動によってガイドレール３３、３４に沿って左右方向９に往復動する。キャリッジ３８と記録ヘッド３９とが、プラテン４０と空間を隔てて対向しているとき、キャリッジ３８、記録ヘッド３９、及びプラテン４０は、直線路６５Ｂの一部を規定する。
【００３８】
記録ヘッド３９は、キャリッジ３８に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ３８が左右方向９へ移動しているときに、ノズルからプラテン４０に支持されている記録用紙に対してインク滴が吐出される。吐出されたインク滴がプラテン４０上の記録用紙に付着することにより、記録用紙に画像が記録される。なお、記録部２４が記録用紙に画像を記録する方式は、インクジェット記録方式に限定されず、例えば電子写真方式等であってもよい。
【００３９】
［給送トレイ２０］
給送トレイ２０は、図３に示されるように、第１トレイ７１と、第２トレイ７２と、一対の連結部材７３と、補強部材８０とで構成されている。給送トレイ２０は、図４〜図７に示されるように、第２トレイ７２が第１トレイ７１に対して前後方向８に移動することによって、様々なサイズの記録用紙を支持することができるように構成されている。また、給送トレイ２０には、図８〜図１０に示されるように、第１トレイ７１に対する第２トレイ７２の移動を規制するロック機構９０が設けられている。
【００４０】
［第１トレイ７１］
第１トレイ７１は、略矩形の底板７４と、底板７４の左右方向９の両端から上向きに立設された一対の側板７５と、底板７４の後端から上向きに立設された後板７６とを備える。第１トレイ７１を構成する底板７４、一対の側板７５、及び後板７６は、例えば、樹脂材料によって一体成型される。すなわち、本実施形態における底板７４、一対の側板７５、及び後板７６は、樹脂製の薄板である。底板７４の上面には、ガイド部材４１、４２と、当接部材４３、４４とが設けられている。
【００４１】
ガイド部材４１、４２は、底板７４に支持された記録用紙の左右方向９の一方側及び他方側の端部に当接されることにより、当該記録用紙を左右方向９に位置決めする。ガイド部材４１、４２は、図５及び図６に示されるように、不図示のピニオンギアによって互いに連動して左右方向９に移動可能に構成されている。これにより、ガイド部材４１、４２は、様々なサイズの記録用紙を左右方向９に位置決めすることができる。
【００４２】
当接部材４３、４４は、底板７４の上面において、左右方向９の概ね中央に配置されている。当接部材４３、４４は、その前端を回動基端とし且つ後端を回動先端として、図５に示される倒伏位置と、上方に立設された起立位置との間を回動可能に構成されている。当接部材４３、４４は、底板７４の上面に支持された記録用紙の前端（給送向き１７の上流側の端部）に当接し、当該記録用紙を前後方向８に位置決めする。複数の当接部材４３、４４を底板７４に設けることにより、様々なサイズの用紙を前後方向８に位置決めすることができる。
【００４３】
［第２トレイ７２］
第２トレイ７２は、略矩形の底板７７と、底板７７の左右方向９の両端から上向きに立設された一対の側板７８と、底板７７の前端から上向きに立設された前板７９とを備える。一対の側板７８は、その前端部において前板７９に接続されている。一対の側板７８及び前板７９は、その上端において、倒伏位置の排出トレイ２１を支持する。第２トレイ７２を構成する底板７７、一対の側板７８、及び前板７９は、例えば、樹脂材料によって一体成型される。すなわち、本実施形態における底板７７、一対の側板７８、及び前板７９は、樹脂製の薄板である。
【００４４】
前板７９の外面（前後方向８における前方側の面）は、図１に示されるように、複合機１０の外部に露出されている。また、前板７９の外面は、給送トレイ２０が最も収縮された状態において、筐体１４の正面と概ね面一となる。さらに、前板７９の外面には、上下方向７の下部で且つ左右方向９の中央部に、給送トレイ２０を複合機１０から引き抜く際にユーザによって把持される把持部７９Ａが設けられている。
【００４５】
把持部７９Ａは、上下方向７の下部で且つ左右方向９の中央部における前板７９の一部が、前後方向８の後方側に後退された部分である。具体的には、把持部７９Ａの位置における前板７９には、図３に示されるように、前板７９の内面側に後退した後退壁７９Ｂと、後退壁７９Ｂの上端と前板７９とを接続する上壁７９Ｃとが形成されている。すなわち、後退壁７９Ｂは、その上端において上壁７９Ｃを介して前板７９と連続している。また、後退壁７９Ｂは、左右方向９の両端部において前板７９と連続している。
【００４６】
第１トレイ７１の底板７４の上面と第２トレイ７２の底板７７の上面とは、相互に連なって記録用紙を支持する支持面を構成する。すなわち、給送トレイ２０は、底板７４、７７の上面において積層状態の記録用紙を支持する。底板７４の上面は第１支持面の一例であり、底板７７の上面は第２支持面の一例である。前板７９は第１側壁の一例であり、一対の側板７８は第２側壁及び第３側壁の一例である。
【００４７】
［連結部材７３］
連結部材７３は、各々が前後方向８に延設され且つ互いに直交する縦板７３Ａ及び横板７３Ｂによって構成される、所謂アングルである。縦板７３Ａは、その内面が第１トレイ７１の側板７５の外面と対面し、その外面が第２トレイ７２の側板７８の内面と対面する。横板７３Ｂは、その上面が第１トレイ７１の底板７４の下面と対面し、その下面が第２トレイ７２の底板７７の上面と対面する。第１トレイ７１及び第２トレイ７２と連結部材７３との互いに対面する面には、例えば、前後方向８に延設されたリブ及び溝が設けられている。第１トレイ７１及び第２トレイ７２と連結部材７３とは、各リブが対応する溝に入り込んだ状態で前後方向８に相対移動する。これにより、給送トレイ２０が収縮或いは伸長される。
【００４８】
給送トレイ２０は、図４及び図５に示されるように、第１トレイ７１の上面と第２トレイ７２の上面との重畳面積が最も大きい状態において、底板７４の上面でＡ４サイズの記録用紙を支持することができる。図４及び図５に示される給送トレイ２０は、長手方向が左右方向９を向いたＡ４サイズの記録用紙を支持することができる。図４及び図５に示される第１トレイ７１に対する第２トレイ７２の位置は、第１位置の一例である。また、Ａ４サイズは、第１サイズの一例である。なお、本実施形態では、第２トレイ７２が第１位置に位置する状態において底板７４の上面のみで記録用紙が支持されるが、これに限定されず、底板７４の上面と底板７７の上面とで記録用紙が支持されてもよい。
【００４９】
また、給送トレイ２０は、図６に示されるように、第１トレイ７１に対して第２トレイ７２が前方に引き出された状態において、底板７４、７７の上面でＢ４サイズの記録用紙を支持することができる。図６に示される給送トレイ２０は、長手方向が前後方向８を向いたＢ４サイズの記録用紙を支持することができる。図６における第１トレイ７１の上面と第２トレイ７２の上面との重畳面積は、図４及び図５における第１トレイ７１の上面と第２トレイ７２の上面との重畳面積より小さい。図６に示される第１トレイ７１に対する第２トレイ７２の位置は、第２位置の一例である。また、Ｂ４サイズは、第２サイズの一例である。
【００５０】
さらに、給送トレイ２０は、図７に示されるように、第１トレイ７１に対して第２トレイ７２が前方にさらに引き出された状態において、底板７４、７７の上面でＡ３サイズの記録用紙を支持することができる。図７に示される給送トレイ２０は、長手方向が前後方向８を向いたＡ３サイズの記録用紙を支持することができる。図７における第１トレイ７１の上面と第２トレイ７２の上面との重畳面積は、図６における第１トレイ７１の上面と第２トレイ７２の上面との重畳面積よりさらに小さい、図７に示される第１トレイ７１に対する第２トレイ７２の位置は、第３位置の一例（第２位置の他の例）である。また、Ａ３サイズは、第３サイズの一例（第２サイズの他の例）である。
【００５１】
［補強部材８０］
補強部材８０は、図３に示されるように、第１補強部８１と、第２補強部８２と、連結部８３とで構成されている。補強部材８０は、底板７７、一対の側板７８、及び前板７９で構成された第２トレイ７２の剛性を確保するものである。補強部材８０は、図４（Ｂ）に示されるように、底板７７の上面（すなわち、第２支持面）と、一対の側板７８及び前板７９の内面とに対面する位置に配置される。すなわち、補強部材８０は、上下方向７において、底板７７の上面に支持された記録用紙と重畳する位置に配置される。また、補強部材８０は、倒伏位置の排出トレイ２１と上下方向７において重畳する位置に設けられている。
【００５２】
第１補強部８１は、前後方向８及び左右方向９に広がる補強壁８１Ａを有している。補強壁８１Ａは、図３の破線で示されるように、上下方向７からの平面視において、仮想的な三角形の領域を少なくとも含む。補強壁８１Ａは、図４（Ｂ）に示されるように、当該三角形の一辺（補強壁８１Ａの右端面）が右側の側板７８の内面に対面し、当該三角形の他の一辺（補強壁８１Ａの前端面）が前板７９の内面に対面する。すなわち、右側の側板７８或いは前板７９が内側に倒れ込む向きに変形しようとしたときに、補強壁８１Ａは、当該右側の側板７８及び前板７９に同時に当接し得る。
【００５３】
第２補強部８２は、前後方向８及び左右方向９に広がる補強壁８２Ａを有している。補強壁８２Ａは、図３の破線で示されるように、上下方向７からの平面視において、仮想的な三角形の領域を少なくとも含む。補強壁８２Ａは、図４（Ｂ）に示されるように、当該三角形の一辺（補強壁８１Ａの左端面）が左側の側板７８の内面に対面し、当該三角形の他の一辺（補強壁８１Ａの前端面）が前板７９の内面に対面する。すなわち、左側の側板７８或いは前板７９が内側に倒れ込む向きに変形しようとしたときに、補強壁８２Ａは、当該左側の側板７８及び前板７９に同時に当接し得る。
【００５４】
なお、補強壁８１Ａ、８２Ａは、図３に示されるように、破線で示される三角形を含む矩形状であってもよい。すなわち、補強壁８１Ａ、８２Ａは、図３の破線で示される仮想的な三角形を含んでいれば、どのような形状であってもよい。また、補強壁８１Ａの各端面は、右側の側板７８及び前板７９の上端部と対面するのが望ましい。同様に、補強壁８２Ａの各端面は、左側の側板７８及び前板７９の上端部と対面するのが望ましい。
【００５５】
また、補強壁８１Ａ、８２Ａそれぞれの上面には、第１突起８４及び第２突起８５が突設されている。補強壁８１Ａ、８２Ａに設けられた一対の第１突起８４は、左右方向９に延びる仮想直線上に設けられている。同様に、補強壁８１Ａ、８２Ａに設けられた一対の第２突起８５は、左右方向９に延びる仮想直線上に設けられている。また、補強壁８１Ａに設けられた第１突起８４と第２突起８５とは、前後方向８に延びる仮想直線上に配置されている。同様に、補強壁８２Ａに設けられた第１突起８４と第２突起８５とは、前後方向８に延びる仮想直線上に配置されている。第１突起８４は係止部の一例であり、第２突起８５は連動部の一例である。
【００５６】
連結部８３は、その左右方向９の両端において、第１補強部８１及び第２補強部８２に連結されている。また、連結部８３は、その下面側において、底板７７の上面及び上壁７９Ｃの上面に固定されている。連結部８３の固定方法は特に限定されないが、ボルト等によって締結されてもよいし、互いに係合されてもよい。また、連結部８３は、図１８に示されるように、傾斜壁８３Ａを有する。傾斜壁８３Ａは、前板７９の内面に沿って設けられている。また、傾斜壁８３Ａの給送向き１７の下流側を向く面（すなわち、前後方向８の前方側を向く面）は、第２トレイ７２の底板７７へ向かって前板７９に近づく向きに傾斜している。すなわち、傾斜壁８３Ａは、前傾している。この傾斜壁８３Ａは、給送トレイ２０に支持された記録用紙の前端（給送向き１７の上流側の端部）に当接する。
【００５７】
［ロック機構９０］
ロック機構９０は、第１トレイ７１に対する第２トレイ７２の移動を規制し、或いは規制を解除する。ロック機構９０は、図８〜図１０に示されるように、係合部材９１と、操作部材９２と、リンク部材９３と、付勢部材９４とを有する。本実施形態において、係合部材９１、操作部材９２、リンク部材９３、及び付勢部材９４は、第１トレイ７１に支持されている。
【００５８】
係合部材９１は、第２トレイ７２が第１トレイ７１に対して最も引き出された状態（すなわち、図７に示される状態）において、第１トレイ７１及び第２トレイ７２が重畳する位置に設けられている。すなわち、係合部材９１が設けられた位置は、第１トレイ７１と第２トレイ７２とが常に重なり合う位置である。また、係合部材９１は、図４〜図７に示されるように、倒伏位置の排出トレイ２１によって覆われる位置に配置されている。さらに、係合部材９１は、左右方向９における給送トレイ２０の概ね中央に設けられている。
【００５９】
係合部材９１は、給送トレイ２０に対して左右方向９に移動可能である。係合部材９１は、図９及び図１０に示されるように、本体９５と、本体９５の裏面に突設された係合部９６とで構成される。本体９５は、常に第１トレイ７１に係合（支持）されている。係合部９６は、第１トレイ７１の底板７４に設けられた開口７４Ａを通じて底板７４の下面から突出され、第２トレイ７２に接触し得る位置まで延設されている。
【００６０】
係合部９６は、図８及び図９に示される位置に本体９５が位置している状態において、図９（Ｂ）に示されるように、第２トレイ７２の底板７７に設けられた被係合部７７Ａに係合される。すなわち、図８及び図９に示される係合部材９１は、第１トレイ７１及び第２トレイ７２の両方に係合されている。これにより、第１トレイ７１に対する第２トレイ７２の移動が規制される。図８及び図９に示される係合部材９１の位置は、係合位置の一例である。
【００６１】
一方、係合部９６は、図１０に示される位置に本体９５が位置している状態において、図１０（Ｂ）に示されるように、被係合部７７Ａとの係合が解除される。すなわち、図１０に示される係合部材９１は、第１トレイ７１に係合され且つ第２トレイ７２に係合されていない。これにより、第１トレイ７１に対する第２トレイ７２の移動が許容（すなわち、規制が解除）される。図１０に示される係合部材９１の位置（すなわち、係合位置から左方に移動された位置）は、係合解除位置の一例である。
【００６２】
被係合部７７Ａは、図８において破線枠で示されるように、前後方向８に離間した複数の位置において、左右方向９に離間した２カ所ずつ設けられている。具体的には、被係合部７７Ａは、第１トレイ７１に対して第２トレイ７２が最も押し込まれた状態（図４及び図５に示される第１位置）において係合部９６と係合可能な位置（前方側の破線枠の位置）と、第１トレイ７１から第２トレイ７２が途中まで引き出された状態（図６に示される第２位置）において係合部９６と係合可能な位置（中央の破線枠の位置）と、第１トレイ７１から第２トレイ７２が最大限引き出された状態（図７に示される第３位置）において係合部９６と係合可能な位置（後方側の破線枠の位置）とに設けられている。
【００６３】
被係合部７７Ａの具体的な構成は特に限定されないが、例えば、被係合部７７Ａは、前後方向８において対面する一対の壁面を有していてもよい。そして、当該一対の壁面の間に係合部９６が進入することによって、係合部９６と被係合部７７Ａとが係合される。一方、当該一対の壁面の間から係合部９６が後退することによって、係合部９６と被係合部７７Ａとの係合が解除される。
【００６４】
操作部材９２は、図４に示されるように、排出トレイ２１の回動軸線に重畳する位置（排出トレイ２１の回動軸線の直下方）に設けられている。また、操作部材９２は、左右方向９における給送トレイ２０の中央から一方側（図８の例では、左側）にずれた位置に設けられている。操作部材９２は、左右方向９において、当接部材４３と隣接する位置に設けられている。さらに、操作部材９２は、係合部材９１から前後方向８（図８の例では、後方側）に離間した位置に設けられている。操作部材９２は、第１トレイ７１の底板７４に設けられた開口７４Ｂを通じて底板７４の上面側及び下面側の両方に露出されている。
【００６５】
操作部材９２は、給送トレイ２０に対して左右方向９に移動可能である。図８及び図９に示される操作部材９２の位置は、ロック位置の一例である。図１０に示される操作部材９２の位置（すなわち、ロック位置から右方に移動された位置）は、ロック解除位置の一例である。また、操作部材９２は、ロック位置へ向けて付勢部材９４に付勢されている。付勢部材９４の具体例は特に限定されないが、例えば、コイルバネである。
【００６６】
リンク部材９３は、前後方向８における係合部材９１及び操作部材９２の間において、第１トレイ７１の底板７４の下面に回動可能に支持されている。リンク部材９３は、長尺の板状部材であって、その一端が係合部材９１に接続され、他端が操作部材９２に接続されている。ロック位置及びロック解除位置の一方から他方への操作部材９２の移動によって、リンク部材９３は、係合位置及び係合解除位置の一方から他方へ係合部材９１を移動させる向きに回動する。係合部材９１は、リンク部材９３によって操作部材９２の移動向きと逆向きに移動する。
【００６７】
より詳細には、ロック位置からロック解除位置への操作部材９２の移動によって、リンク部材９３は第１向き（図９及び図１０の例では、反時計回り）に回動し、係合部材９１を係合位置から係合解除位置へ移動させる。その結果、操作部材９２がロック解除位置に位置するときに、係合部材９１は係合解除位置に位置する。すなわち、付勢部材９４の付勢力に抗して操作部材９２が右方に移動されることにより、第１トレイ７１に対する第２トレイ７２の移動が許容される。
【００６８】
また、ロック解除位置からロック位置への操作部材９２の移動によって、リンク部材９３は第１向きと反対の第２向き（図９及び図１０の例では、時計回り）に回動し、係合部材９１を係合解除位置から係合位置へ移動させる。その結果、操作部材９２がロック位置に位置するときに、係合部材９１は係合位置に位置する。すなわち、操作部材９２を右方に移動させる力がなくなると、付勢部材９４によって操作部材９２が左方に移動されることにより、第１トレイ７１に対する第２トレイ７２の移動が規制される。
【００６９】
［排出トレイ２１］
排出トレイ２１は、図７に示されるように、本体トレイ１００と、第１中間トレイ１１０と、第２中間トレイ１３０と、第３中間トレイ１５０と、回動トレイ１６０とを有する。本体トレイ１００、第１中間トレイ１１０、第２中間トレイ１３０、第３中間トレイ１５０、及び回動トレイ１６０は、それぞれの上面において、排出ローラ対６６によって排出された記録用紙を支持する。以下、排出トレイ２１の倒伏状態を前提として、各構成要素の位置関係が説明される。
【００７０】
本体トレイ１００は、給送トレイ２０（より詳細には、第２トレイ７２の一対の側板７８）に回動可能に支持されている。第１中間トレイ１１０は、本体トレイ１００の下面側において、本体トレイ１００に対して前後方向８に移動可能に支持されている。第２中間トレイ１３０は、第１中間トレイ１１０の下面側において、第１中間トレイ１１０に対して前後方向８に移動可能に支持されている。第３中間トレイ１５０は、第２中間トレイ１３０の下面側において、第２中間トレイ１３０に対して前後方向８に移動可能に支持されている。回動トレイ１６０は、第３中間トレイ１５０に回動可能に支持されている。
【００７１】
［本体トレイ１００］
本体トレイ１００は、図１１に示されるように、前後方向８の外形寸法より左右方向９の外形寸法が長い矩形の平板形状である。本体トレイ１００の左右方向９の外形寸法は、第２トレイ７２の一対の側板７５の間の距離と概ね同じである。本体トレイ１００の上面は、図５〜図７に示されるように、前後方向８及び左右方向９に沿った平面である。また、本体トレイ１００の上面には、左右方向９の両端部に一対のリブ１０９が設けられている。一対のリブ１０９は、本体トレイ１００の上面に突設され且つ前後方向８に延設されている。
【００７２】
倒伏位置における本体トレイ１００の後方側（すなわち、第１中間トレイ１１０が引き出される側と反対側）であって且つ左右方向９の両側には、左右方向９の外方へ突出する一対の支軸１０１が設けられている。一対の支軸１０１が一対の側板７５の上端部にそれぞれ支持されることにより、左右方向９に延びる回動軸線を中心として、本体トレイ１００が給送トレイ２０に対して回動可能となる。また、前後方向８における本体トレイ１００の前端であって且つ左右方向９の中央には、矩形の切欠部１０２が形成されている。
【００７３】
本体トレイ１００の下面には、各々が前後方向８に沿って延びる第１レール部１０３、第２レール部１０４、第３レール部１０５、及び第４レール部１０６が設けられている。第１レール部１０３、第２レール部１０４、第３レール部１０５、及び第４レール部１０６は、本体トレイ１００の下面において、左右方向９に離間した位置に設けられている。第１レール部１０３及び第２レール部１０４は、左右方向９において、第３レール部１０５及び第４レール部１０６より本体トレイ１００の外側に配置されている。左右方向９における第１レール部１０３及び第２レール部１０４の中央の位置と、左右方向９における第３レール部１０５及び第４レール部１０６の中央の位置と、左右方向９における本体トレイ１００の中央の位置（図１１における一点鎖線）とは、一致する。
【００７４】
第１レール部１０３は、第１リブ１０３Ａと、第１突出部１０３Ｂとを有する。第１リブ１０３Ａは、本体トレイ１００の下面から下方に突出し且つ前後方向８に延設されている。第１突出部１０３Ｂは、左右方向９における第１リブ１０３Ａの左面から左方に突出し且つ前後方向８に延設されている。本体トレイ１００の下面と第１突出部１０３Ｂの上面とは、上下方向７に離間されている。すなわち、本体トレイ１００の下面と第１突出部１０３Ｂの上面との間には空間が形成されている。
【００７５】
第２レール部１０４は、第２リブ１０４Ａと、第２突出部１０４Ｂとを有する。第２リブ１０４Ａは、本体トレイ１００の下面から下方に突出し且つ前後方向８に延設されている。第２突出部１０４Ｂは、第２リブ１０４Ａにおける左右方向９の右面から右方に突出し且つ前後方向８に延設されている。本体トレイ１００の下面と第２突出部１０４Ｂの上面とは、上下方向７に離間されている。すなわち、本体トレイ１００の下面と第２突出部１０４Ｂの上面との間には空間が形成されている。
【００７６】
第３レール部１０５は、第３リブ１０５Ａと、第３突出部１０５Ｂとを有する。第３リブ１０５Ａは、本体トレイ１００の下面から下方に突出し且つ前後方向８に延設されている。第３突出部１０５Ｂは、左右方向９における第３リブ１０５Ａの右面から右方に突出し且つ前後方向８に延設されている。本体トレイ１００の下面と第３突出部１０５Ｂの上面とは、上下方向７に離間されている。すなわち、本体トレイ１００の下面と第３突出部１０５Ｂの上面との間には空間が形成されている。さらに、第３突出部１０５Ｂの下面には、下方に突出する一対の凸部１０５Ｃが設けられている。一対の凸部１０５Ｃは、前後方向８に隣接して設けられている。すなわち、前後方向８における一対の凸部１０５Ｃの間は凹んでいる。
【００７７】
第４レール部１０６は、第４リブ１０６Ａと、第４突出部１０６Ｂとを有する。第４リブ１０６Ａは、本体トレイ１００の下面から下方に突出し且つ前後方向８に延設されている。第４突出部１０６Ｂは、左右方向９における第４リブ１０６Ａの左面から左方に突出し且つ前後方向８に延設されている。本体トレイ１００の下面と第４突出部１０６Ｂの上面とは、上下方向７に離間されている。すなわち、本体トレイ１００の下面と第４突出部１０６Ｂの上面との間には空間が形成されている。さらに、第４突出部１０６Ｂの下面には、下方に突出する一対の凸部１０６Ｃが設けられている。一対の凸部１０６Ｃは、前後方向８に隣接して設けられている。すなわち、前後方向８における一対の凸部１０６Ｃの間は凹んでいる。
【００７８】
本体トレイ１００の下面側の後端部には、被係合部１０７、１０８が設けられている。被係合部１０７、１０８は、左右方向９において、第１レール部１０３及び第２レール部１０４より本体トレイ１００の外側に配置されている。すなわち、被係合部１０７は第１レール部１０３より本体トレイ１００の右側に配置されており、被係合部１０８は第２レール部１０４より本体トレイ１００の左側に配置されている。
【００７９】
被係合部１０７は、各々が左右方向９において第１レール部１０３に対面し、且つ前後方向８において互いに隣接する一対の傾斜面１０７Ａ、１０７Ｂを有する。傾斜面１０７Ａと傾斜面１０７Ｂとは、互いに逆向きに傾斜している。より詳細には、被係合部１０７は、左右方向９において、傾斜面１０７Ａと傾斜面１０７Ｂとの接続位置（以下、「被係合部１０７の頂上位置」と表記する。）において第１レール部１０３に最も近づき、傾斜面１０７Ａ及び傾斜面１０７Ｂに沿って頂上位置から前後方向８に離間するほど第１レール部１０３から遠ざかるように構成されている。
【００８０】
被係合部１０８は、各々が左右方向９において第２レール部１０４に対面し、且つ前後方向８において互いに隣接する一対の傾斜面１０８Ａ、１０８Ｂを有する。傾斜面１０８Ａと傾斜面１０８Ｂとは、互いに逆向きに傾斜している。より詳細には、被係合部１０８は、左右方向９において、傾斜面１０８Ａと傾斜面１０８Ｂとの接続位置（以下、「被係合部１０８の頂上位置」と表記する。）において第２レール部１０４に最も近づき、傾斜面１０８Ａ及び傾斜面１０８Ｂに沿って頂上位置から前後方向８に離間するほど第２レール部１０４から遠ざかるように構成されている。
【００８１】
［第１中間トレイ１１０］
第１中間トレイ１１０は、図１２に示されるように、前後方向８の外形寸法より左右方向９の外形寸法が長い矩形の平板形状である。第１中間トレイ１１０の左右方向９の外形寸法は、本体トレイ１００の左右方向９の外形寸法と概ね同じである。しかし、厳密には、第１中間トレイ１１０の左右方向９の外形寸法は、本体トレイ１００の左右方向９の外形寸法よりわずかに短い。第１中間トレイ１１０の上面は、前後方向８及び左右方向９に沿った概ね平面である。前後方向８における第１中間トレイ１１０の前端であって且つ左右方向９の中央には、矩形の切欠部１１２が形成されている。切欠部１１２は、第１中間トレイ１１０が本体トレイ１００の下方に収納された状態において、上下方向７において本体トレイ１００の切欠部１０２と重なる位置に設けられている。
【００８２】
第１中間トレイ１１０は、左右方向９の中央に位置する中央部１１０Ａと、左右方向９の両側に位置する右端部１１０Ｂ及び左端部１１０Ｃとを有する。右端部１１０Ｂ及び左端部１１０Ｃは、中央部１１０Ａより上下方向７の下方に偏在している。すなわち、中央部１１０Ａと右端部１１０Ｂとの境界部分には、上下方向７の段差が形成されている。同様に、中央部１１０Ａと左端部１１０Ｃとの境界部分には、上下方向７の段差が形成されている。また、右端部１１０Ｂ及び左端部１１０Ｃの前後方向８の長さは、中央部１１０Ａの前後方向８の長さより短い。より詳細には、右端部１１０Ｂ及び左端部１１０Ｃの後端は、中央部１１０Ａの後端より前方側に位置する。
【００８３】
右端部１１０Ｂには、第１係合部１１７が設けられている。第１係合部１１７は、右端部１１０Ｂの後端から前後方向８の後方に延びる弾性部１１７Ａと、弾性部１１７Ａの先端（前後方向８の後方側の端部）から左右方向９の外方に突出する突出部１１７Ｂとで構成される。同様に、左端部１１０Ｃには、第１係合部１１８が設けられている。第１係合部１１８は、左端部１１０Ｃの後端から前後方向８の後方に延びる弾性部１１８Ａと、弾性部１１８Ａの先端（前後方向８の後方側の端部）から左右方向９の外方に突出する突出部１１８Ｂとで構成される。
【００８４】
弾性部１１７Ａは、右端部１１０Ｂとの接続端（前後方向８の前方側の端部）を基点として、突出部１１７Ｂを左右方向９に変位させる向きに弾性変形する。突出部１１７Ｂは、第１中間トレイ１１０が本体トレイ１００に収納された状態において、本体トレイ１００の被係合部１０７に係合される。同様に、弾性部１１８Ａは、左端部１１０Ｃとの接続端（前後方向８の前方側の端部）を基点として、突出部１１８Ｂを左右方向９に変位させる向きに弾性変形する。突出部１１８Ｂは、第１中間トレイ１１０が本体トレイ１００に収納された状態において、本体トレイ１００の被係合部１０８に係合される。突出部１１７Ｂが被係合部１０７に係合され且つ突出部１１８Ｂが被係合部１０８に係合される時の第１中間トレイ１１０の位置は、第１収納位置の一例である。
【００８５】
第１収納位置に位置する第１中間トレイ１１０の突出部１１７Ｂは、被係合部１０７の頂上位置より後方側に位置する。そして、第１中間トレイ１１０が本体トレイ１００から引き出される（すなわち、後述される第１露出位置に向けて移動される）過程で、突出部１１７Ｂは、弾性部１１７Ａの弾性変形によって傾斜面１０７Ａに沿って左右方向９の内方へ変位する。そして、突出部１１７Ｂが被係合部１０７の頂上位置を乗り越えることによって、第１係合部１１７と被係合部１０７との係合が解除される。同様に、第１収納位置に位置する第１中間トレイ１１０の突出部１１８Ｂは、被係合部１０８の頂上位置より後方側に位置する。そして、第１中間トレイ１１０が本体トレイ１００から引き出される過程で、突出部１１８Ｂは、弾性部１１８Ａの弾性変形によって傾斜面１０８Ａに沿って左右方向９の内方へ変位する。そして、突出部１１８Ｂが被係合部１０８の頂上位置を乗り越えることによって、第１係合部１１８と被係合部１０８との係合が解除される。
【００８６】
一方、本体トレイ１００から引き出された状態の第１中間トレイ１１０の突出部１１７Ｂは、被係合部１０７の頂上位置より前方側に位置する。そして、第１中間トレイ１１０が本体トレイ１００に収納される（すなわち、第１収納位置に向けて移動される）過程で、突出部１１７Ｂは、弾性部１１７Ａの弾性変形によって傾斜面１０７Ｂに沿って左右方向９の内方へ変位する。そして、突出部１１７Ｂが被係合部１０７の頂上位置を乗り越えることによって、第１係合部１１７と被係合部１０７とが係合される。同様に、本体トレイ１００から引き出された状態の第１中間トレイ１１０の突出部１１８Ｂは、被係合部１０８の頂上位置より前方側に位置する。そして、第１中間トレイ１１０が本体トレイ１００に収納される過程で、突出部１１８Ｂは、弾性部１１８Ａの弾性変形によって傾斜面１０８Ｂに沿って左右方向９の内方へ変位する。そして、突出部１１８Ｂが被係合部１０８の頂上位置を乗り越えることによって、第１係合部１１８と被係合部１０８とが係合される。
【００８７】
中央部１１０Ａの右端には、左右方向９の外方へ突出し且つ前後方向８に延設された突片１１３が設けられている。突片１１３は、上下方向７において右端部１１０Ｂと離間している。すなわち、突片１１３の下面と右端部１１０Ｂの上面との間には、空間が形成されている。本体トレイ１００の第１突出部１０３Ｂは、突片１１３の下面と右端部１１０Ｂの上面との間の空間に進入する。換言すれば、突片１１３は、本体トレイ１００の下面と第１突出部１０３Ｂの上面との間の空間に進入する。
【００８８】
中央部１１０Ａの左端には、左右方向９の外方へ突出し且つ前後方向８に延設された突片１１４が設けられている。突片１１４は、上下方向７において左端部１１０Ｃと離間している。すなわち、突片１１４の下面と左端部１１０Ｃの上面との間には、空間が形成されている。本体トレイ１００の第２突出部１０４Ｂは、突片１１４の下面と左端部１１０Ｃの上面との間の空間に進入する。換言すれば、突片１１４は、本体トレイ１００の下面と第２突出部１０４Ｂの上面との間の空間に進入する。
【００８９】
第１中間トレイ１１０の上面には、各々が前後方向８に延設され且つ互いに左右方向９に離間したスリット１１５、１１６が形成されている。スリット１１５、１１６は、第１中間トレイ１１０の左右方向９の中央（図１２（Ａ）における一点鎖線）に対して左右対称な位置に配置されている。スリット１１５の右端を画定する壁面には、当該壁面から左右方向９の内方（左方）に突出し且つ前後方向８に延設された庇部１１５Ａが設けられている。庇部１１５Ａは、スリット１１５の上方の一部を覆う。同様に、スリット１１６の左端を画定する壁面には、当該壁面から左右方向９の内方（右方）に突出し且つ前後方向８に延設された庇部１１６Ａが設けられている。庇部１１６Ａは、スリット１１６の上方の一部を覆う。
【００９０】
庇部１１５Ａは、スリット１１５の右側の領域を上方から覆う。すなわち、上下方向７及び左右方向９を含むスリット１１５の断面を前方側から見ると、Ｌ字形状である。スリット１１５には、本体トレイ１００の第３レール部１０５が挿通される。より詳細には、庇部１１５Ａで覆われていないスリット１１５の空間に第３レール部１０５の第３リブ１０５Ａが進入し、庇部１１５Ａで覆われたスリット１１５の空間に第３レール部１０５の第３突出部１０５Ｂが進入する。換言すれば、本体トレイ１００の下面と第３突出部１０５Ｂの上面との間の空間に庇部１１５Ａが進入する。
【００９１】
庇部１１６Ａは、スリット１１６の左側の領域を上方から覆う。すなわち、上下方向７及び左右方向９を含むスリット１１６の断面を前方側から見ると、逆Ｌ字形状である。スリット１１６には、本体トレイ１００の第４レール部１０６が挿通される。より詳細には、庇部１１６Ａで覆われていないスリット１１６の空間に第４レール部１０６の第４リブ１０６Ａが進入し、庇部１１６Ａで覆われたスリット１１６の空間に第４レール部１０６の第４突出部１０６Ｂが進入する。換言すれば、本体トレイ１００の下面と第４突出部１０６Ｂの上面との間の空間に庇部１１６Ａが進入する。
【００９２】
スリット１１５の後端側の一部は、庇部１１５Ａによって覆われていない。そして、庇部１１５Ａに覆われていないスリット１１５の後端側の領域において、スリット１１５の奥面（底面）を画定する壁面には、上下方向７の上向きへ突出する凸部１１５Ｂが設けられている。凸部１１５Ｂは、上下方向７及び前後方向８を含む断面が略三角形であり、上方へ向かって先細りする形状である。凸部１１５Ｂは、左右方向９において本体トレイ１００の一対の凸部１０５Ｃと対応する位置に配置されている。同様に、スリット１１６の後端側の一部は、庇部１１６Ａによって覆われていない。そして、庇部１１６Ａに覆われていないスリット１１６の後端側の領域において、スリット１１６の奥面（底面）を画定する壁面には、上下方向７の上向きへ突出する凸部１１６Ｂが設けられている。凸部１１６Ｂは、上下方向７及び前後方向８を含む断面が略三角形であり、上方へ向かって先細りする形状である。凸部１１６Ｂは、左右方向９において本体トレイ１００の一対の凸部１０６Ｃと対応する位置に配置されている。
【００９３】
凸部１１５Ｂは、第１中間トレイ１１０が本体トレイ１００から最大限引き出された時に、本体トレイ１００の一対の凸部１０５Ｃの間の凹みに入り込んで、本体トレイ１００と第１中間トレイ１１０とを前後方向８に位置決めする。同様に、凸部１１６Ｂは、第１中間トレイ１１０が本体トレイ１００から最大限引き出された時に、本体トレイ１００の一対の凸部１０６Ｃの間の凹みに入り込んで、本体トレイ１００と第１中間トレイ１１０とを前後方向８に位置決めする。本体トレイ１００の一対の凸部１０５Ｃの間の凹みに凸部１１５Ｂが入り込み且つ本体トレイ１００の一対の凸部１０６Ｃの間の凹みに凸部１１６Ｂが入り込む時の第１中間トレイ１１０の位置は、第１露出位置の一例である。第１露出位置における本体トレイ１００と第１中間トレイ１１０との重畳面積は、第１収納位置における本体トレイ１００と第１中間トレイ１１０との重畳面積より小さい。
【００９４】
上記構成のように、突片１１３が第１突出部１０３Ｂに、突片１１４が第２突出部１０４Ｂに、庇部１１５Ａが第３突出部１０５Ｂに、庇部１１６Ａが第４突出部１０６Ｂに、それぞれ前後方向８に移動可能な状態で支持されることによって、第１中間トレイ１１０は、第１収納位置及び第１露出位置の間を本体トレイ１００に対して移動可能となる。すなわち、第１中間トレイ１１０は、前後方向８に離間した第１収納位置及び第１露出位置の間を移動可能に本体トレイ１００に支持されている。
【００９５】
第１中間トレイ１１０の下面には、各々が前後方向８に沿って延びる第５レール部１２３、第６レール部１２４、第７レール部１２５、及び第８レール部１２６が設けられている。第５レール部１２３、第６レール部１２４、第７レール部１２５、及び第８レール部１２６は、第１中間トレイ１１０の下面において、左右方向９に離間した位置に設けられている。第５レール部１２３及び第６レール部１２４は、左右方向９において、第７レール部１２５及び第８レール部１２６より第１中間トレイ１１０の外側に配置されている。左右方向９における第５レール部１２３及び第６レール部１２４の中央の位置と、左右方向９における第７レール部１２５及び第８レール部１２６の中央の位置と、左右方向９における第１中間トレイ１１０の中央の位置（図１２（Ｂ）における一点鎖線）とは、一致する。
【００９６】
第５レール部１２３は、第１中間トレイ１１０の下面側において、右端部１１０Ｂの左端から左方へ突出し且つ前後方向８に延設された第５突出部１２３Ｂを有する。第１中間トレイ１１０（より詳細には、中央部１１０Ａ）の下面と第５突出部１２３Ｂの上面とは、上下方向７に離間されている。すなわち、第１中間トレイ１１０の下面と第５突出部１２３Ｂの上面との間には空間が形成されている。
【００９７】
第６レール部１２４は、第１中間トレイ１１０の下面側において、左端部１１０Ｃの右端から右方へ突出し且つ前後方向８に延設された第６突出部１２４Ｂを有する。第１中間トレイ１１０（より詳細には、中央部１１０Ａ）の下面と第６突出部１２４Ｂの上面とは、上下方向７に離間されている。すなわち、第１中間トレイ１１０の下面と第６突出部１２４Ｂの上面との間には空間が形成されている。
【００９８】
第７レール部１２５は、第７リブ１２５Ａと、第７突出部１２５Ｂとを有する。第７リブ１２５Ａは、第１中間トレイ１１０の下面から下方に突出し且つ前後方向８に延設されている。第７突出部１２５Ｂは、左右方向９における第７リブ１２５Ａの右面から右方に突出し且つ前後方向８に延設されている。第１中間トレイ１１０の下面と第７突出部１２５Ｂの上面とは、上下方向７に離間されている。すなわち、第１中間トレイ１１０の下面と第７突出部１２５Ｂの上面との間には空間が形成されている。さらに、第７突出部１２５Ｂの下面には、下方に突出する凸部１２５Ｃが設けられている。
【００９９】
第８レール部１２６は、第８リブ１２６Ａと、第８突出部１２６Ｂとを有する。第８リブ１２６Ａは、第１中間トレイ１１０の下面から下方に突出し且つ前後方向８に延設されている。第８突出部１２６Ｂは、左右方向９における第８リブ１２６Ａの左面から左方に突出し且つ前後方向８に延設されている。第１中間トレイ１１０の下面と第８突出部１２６Ｂの上面とは、上下方向７に離間されている。すなわち、第１中間トレイ１１０の下面と第８突出部１２６Ｂの上面との間には空間が形成されている。さらに、第８突出部１２６Ｂの下面には、下方に突出する凸部１２６Ｃが設けられている。
【０１００】
［第２中間トレイ１３０］
第２中間トレイ１３０は、図１３に示されるように、前後方向８の外形寸法より左右方向９の外形寸法が長い矩形の平板形状である。第２中間トレイ１３０の左右方向９の外形寸法は、本体トレイ１００及び第１中間トレイ１１０の左右方向９の外形寸法と概ね同じである。しかし、厳密には、第２中間トレイ１３０の左右方向９の外形寸法は、本体トレイ１００の左右方向９の外形寸法よりわずかに短く、第１中間トレイ１１０の左右方向９の外形寸法と概ね同じである。第２中間トレイ１３０の上面は、前後方向８及び左右方向９に沿った概ね平面である。前後方向８における第２中間トレイ１３０の前端であって且つ左右方向９の中央には、矩形の切欠部１３２が形成されている。切欠部１３２は、第２中間トレイ１３０が第１中間トレイ１１０の下方に収納された状態において、上下方向７において第１中間トレイ１１０の切欠部１１２と重なる位置に設けられている。
【０１０１】
第２中間トレイ１３０は、左右方向９の中央に位置する中央部１３０Ａと、左右方向９の両側に位置する右端部１３０Ｂ及び左端部１３０Ｃとを有する。右端部１３０Ｂ及び左端部１３０Ｃは、中央部１３０Ａより上下方向７の下方に偏在している。すなわち、中央部１３０Ａと左端部１３０Ｃとの境界部分には、上下方向７の段差が形成されている。同様に、中央部１３０Ａと左端部１３０Ｃとの境界部分には、上下方向７の段差が形成されている。また、右端部１３０Ｂ及び左端部１３０Ｃの前後方向８の長さは、中央部１３０Ａの前後方向８の長さより短い。より詳細には、右端部１３０Ｂ及び左端部１３０Ｃの後端は、中央部１３０Ａの後端より前方側に位置する。
【０１０２】
右端部１３０Ｂには、第２係合部１３７が設けられている。第２係合部１３７は、右端部１３０Ｂの後端から前後方向８の後方に延びる弾性部１３７Ａと、弾性部１３７Ａの先端（前後方向８の後方側の端部）から左右方向９の外方へ突出する突出部１３７Ｂとで構成される。同様に、左端部１３０Ｃには、第２係合部１３８が設けられている。第２係合部１３８は、左端部１３０Ｃの後端から前後方向８の後方に延びる弾性部１３８Ａと、弾性部１３８Ａの先端（前後方向８の後方側の端部）から左右方向９の外方へ突出する突出部１３８Ｂとで構成される。
【０１０３】
弾性部１３７Ａは、右端部１３０Ｂとの接続端（前後方向８の前方側の端部）を基点として、突出部１３７Ｂを左右方向９に変位させる向きに弾性変形する。突出部１３７Ｂは、第２中間トレイ１３０が本体トレイ１００及び第１中間トレイ１１０に収納された状態において、本体トレイ１００の被係合部１０７に係合される。同様に、弾性部１３８Ａは、左端部１３０Ｃとの接続端（前後方向８の前方側の端部）を基点として、突出部１３８Ｂを左右方向９に変位させる向きに弾性変形する。突出部１３８Ｂは、第２中間トレイ１３０が本体トレイ１００及び第１中間トレイ１１０に収納された状態において、本体トレイ１００の被係合部１０８に係合される。突出部１３７Ｂが被係合部１０７に係合され且つ突出部１３８Ｂが被係合部１０８に係合される時の第２中間トレイ１３０の位置は、第２収納位置の一例である。
【０１０４】
第２収納位置に位置する第２中間トレイ１３０の突出部１３７Ｂは、被係合部１０７の頂上位置より後方側に位置する。そして、第２中間トレイ１３０が本体トレイ１００及び第１中間トレイ１１０から引き出される（すなわち、後述される第２露出位置に向けて移動される）過程で、突出部１３７Ｂは、弾性部１３７Ａの弾性変形によって傾斜面１０７Ａに沿って左右方向９の内方へ変位する。そして、突出部１３７Ｂが被係合部１０７の頂上位置を乗り越えることによって、第２係合部１３７と被係合部１０７との係合が解除される。同様に、第２収納位置に位置する第２中間トレイ１３０の突出部１３８Ｂは、被係合部１０８の頂上位置より後方側に位置する。そして、第２中間トレイ１３０が本体トレイ１００及び第１中間トレイ１１０から引き出される過程で、突出部１３８Ｂは、弾性部１３８Ａの弾性変形によって傾斜面１０８Ａに沿って左右方向９の内方へ変位する。そして、突出部１３８Ｂが被係合部１０８の頂上位置を乗り越えることによって、第２係合部１３８と被係合部１０８との係合が解除される。
【０１０５】
一方、本体トレイ１００及び第１中間トレイ１１０から引き出された状態の第２中間トレイ１３０の突出部１３７Ｂは、被係合部１０７の頂上位置より前方側に位置する。そして、第２中間トレイ１３０が本体トレイ１００及び第１中間トレイ１１０に収納される（すなわち、第２収納位置に向けて移動される）過程で、突出部１３７Ｂは、弾性部１３７Ａの弾性変形によって傾斜面１０７Ａに沿って左右方向９の内方へ変位する。そして、突出部１３７Ｂが被係合部１０７の頂上位置を乗り越えることによって、第２係合部１３７と被係合部１０７とが係合される。同様に、本体トレイ１００及び第１中間トレイ１１０から引き出された状態の第２中間トレイ１３０の突出部１３８Ｂは、被係合部１０８の頂上位置より前方側に位置する。そして、第２中間トレイ１３０が本体トレイ１００及び第１中間トレイ１１０に収納される過程で、突出部１３８Ｂは、弾性部１３８Ａの弾性変形によって傾斜面１０８Ａに沿って左右方向９の内方へ変位する。そして、突出部１３８Ｂが被係合部１０８の頂上位置を乗り越えることによって、第２係合部１３８と被係合部１０８とが係合される。
【０１０６】
中央部１３０Ａの右端には、左右方向９の外方（右方）へ突出し且つ前後方向８に延設された突片１３３が設けられている。突片１３３は、上下方向７において右端部１３０Ｂと離間している。すなわち、突片１３３の下面と右端部１３０Ｂの上面との間には、空間が形成されている。第１中間トレイ１１０の第５突出部１２３Ｂは、突片１３３の下面と右端部１３０Ｂの上面との間の空間に進入する。換言すれば、突片１３３は、第１中間トレイ１１０の下面と第５突出部１２３Ｂの上面との間の空間に進入する。
【０１０７】
中央部１３０Ａの左端には、左右方向９の外方（左方）へ突出し且つ前後方向８に延設された突片１３４が設けられている。突片１３４は、上下方向７において左端部１３０Ｃと離間している。すなわち、突片１３４の下面と左端部１３０Ｃの上面との間には、空間が形成されている。第１中間トレイ１１０の第６突出部１２４Ｂは、突片１３４の下面と左端部１３０Ｃの上面との間の空間に進入する。換言すれば、突片１３４は、第１中間トレイ１１０の下面と第６突出部１２４Ｂの上面との間の空間に進入する。
【０１０８】
第２中間トレイ１３０の上面には、各々が前後方向８に延設され且つ互いに左右方向９に離間したスリット１３５、１３６が形成されている。スリット１３５、１３６は、第２中間トレイ１３０の左右方向９の中央（図１３（Ａ）における一点鎖線）に対して左右対称な位置に配置されている。スリット１３５の右端を画定する壁面には、当該壁面から左右方向９の内方（左方）に突出し且つ前後方向８に延設された庇部１３５Ａが設けられている。庇部１３５Ａは、スリット１３５の上方の一部を覆う。同様に、スリット１３６の左端を画定する壁面には、当該壁面から左右方向９の内方（右方）に突出し且つ前後方向８に延設された庇部１３６Ａが設けられている。庇部１３６Ａは、スリット１３６の上方の一部を覆う。
【０１０９】
庇部１３５Ａは、スリット１３５の右側の領域を上方から覆う。すなわち、上下方向７及び左右方向９を含むスリット１３５の断面を前方側から見ると、Ｌ字形状である。スリット１３５には、第２中間トレイ１３０の第７レール部１２５が挿通される。より詳細には、庇部１３５Ａで覆われていないスリット１３５の空間に第７レール部１２５の第７リブ１２５Ａが進入し、庇部１３５Ａで覆われたスリット１３５の空間に第７レール部１２５の第７突出部１２５Ｂが進入する。換言すれば、第１中間トレイ１１０の下面と第７突出部１２５Ｂの上面との間の空間に庇部１３５Ａが進入する。
【０１１０】
庇部１３６Ａは、スリット１３６の左側の領域を上方から覆う。すなわち、上下方向７及び左右方向９を含むスリット１３６の断面を前方側から見ると、逆Ｌ字形状である。スリット１３６には、第１中間トレイ１１０の第８レール部１２６が挿通される。より詳細には、庇部１３６Ａで覆われていないスリット１３６の空間に第８レール部１２６の第８リブ１２６Ａが進入し、庇部１３６Ａで覆われたスリット１３６の空間に第８レール部１２６の第８突出部１２６Ｂが進入する。換言すれば、第１中間トレイ１１０の下面と第８突出部１２６Ｂの上面との間の空間に庇部１３６Ａが進入する。
【０１１１】
スリット１３５の後端側の一部は、庇部１３５Ａによって覆われていない。そして、庇部１３５Ａに覆われていないスリット１３５の後端側の領域において、スリット１３５の奥面（底面）を画定する壁面には、上下方向７の上向きへ突出する凸部１３５Ｂが設けられている。凸部１３５Ｂは、上下方向７及び前後方向８を含む断面が略三角形であり、上方へ向かって先細りする形状である。凸部１３５Ｂは、左右方向９において第１中間トレイ１１０の凸部１２５Ｃに対応する位置に配置されている。同様に、スリット１３６の後端側の一部は、庇部１３６Ａによって覆われていない。そして、庇部１３６Ａに覆われていないスリット１３６の後端側の領域において、スリット１３６の奥面（底面）を画定する壁面には、上下方向７の上向きへ突出する凸部１３６Ｂが設けられている。凸部１３６Ｂは、上下方向７及び前後方向８を含む断面が略三角形であり、上方へ向かって先細りする形状である。凸部１３６Ｂは、左右方向９において第１中間トレイ１１０の凸部１２６Ｃに対応する位置に配置されている。
【０１１２】
凸部１３５Ｂは、第２中間トレイ１３０が第１中間トレイ１１０から最大限引き出された時に、第１中間トレイ１１０の凸部１２５Ｃに係合されて、第１中間トレイ１１０と第２中間トレイ１３０とを前後方向８に位置決めする。同様に、凸部１３６Ｂは、第２中間トレイ１３０が第１中間トレイ１１０から最大限引き出された時に、第１中間トレイ１１０の凸部１２６Ｃに係合されて、第１中間トレイ１１０と第２中間トレイ１３０とを前後方向８に位置決めする。第１中間トレイ１１０の凸部１２５Ｃに凸部１３５Ｂが係合され且つ第１中間トレイ１１０の凸部１２６Ｃに凸部１３６Ｂが係合された時の第２中間トレイ１３０の位置は、第２露出位置の一例である。第２露出位置における第１中間トレイ１１０と第２中間トレイ１３０との重畳面積は、第２収納位置における第１中間トレイ１１０と第２中間トレイ１３０との重畳面積より小さい。
【０１１３】
上記構成のように、突片１３３が第５突出部１２３Ｂに、突片１３４が第６突出部１２４Ｂに、庇部１３５Ａが第７突出部１２５Ｂに、庇部１３６Ａが第８突出部１２６Ｂに、それぞれ前後方向８に移動可能な状態で支持されることによって、第２中間トレイ１３０は、第２収納位置及び第２露出位置の間を第１中間トレイ１１０に対して移動可能となる。すなわち、第２中間トレイ１３０は、前後方向８に離間した第２収納位置及び第２露出位置の間を移動可能に第１中間トレイ１１０に支持されている。
【０１１４】
第２中間トレイ１３０の下面には、被係合部１４３、１４４が設けられている。被係合部１４３は、中央部１３０Ａと右端部１３０Ｂとの境界の段差部に設けられている。すなわち、被係合部１４３は、中央部１３０Ａの下面及び右端部１３０Ｂの左面の両方に隣接する位置に設けられている。本体トレイ１００、第１中間トレイ１１０、及び第２中間トレイ１３０が組み立てられた状態において、第２中間トレイ１３０の被係合部１４３は、本体トレイ１００の被係合部１０７より左右方向９の中央側に設けられている。同様に、被係合部１４４は、中央部１３０Ａと左端部１３０Ｃとの境界の段差部に設けられている。すなわち、被係合部１４４は、中央部１３０Ａの下面及び左端部１３０Ｃの両方に隣接する位置に設けられている。本体トレイ１００、第１中間トレイ１１０、及び第２中間トレイ１３０が組み立てられた状態において、第２中間トレイ１３０の被係合部１４４は、本体トレイ１００の被係合部１０８より左右方向９の中央側に設けられている。
【０１１５】
被係合部１４３は、案内面１４３Ａと、第１傾斜面１４３Ｂと、第２傾斜面１４３Ｃと、係止片１４３Ｄとで構成されている。同様に、被係合部１４４は、案内面１４４Ａと、第１傾斜面１４４Ｂと、第２傾斜面１４４Ｃと、係止片１４４Ｄとで構成されている。案内面１４３Ａと案内面１４４Ａとは、左右方向９にける第２中間トレイ１３０の内側を向く面である。すなわち、案内面１４３Ａと案内面１４４Ａとは、左右方向９において互いに対面する面である。また、第１傾斜面１４３Ｂと第１傾斜面１４４Ｂとは、左右方向９にける第２中間トレイ１３０の内側を向く面である。すなわち、第１傾斜面１４３Ｂと第１傾斜面１４４Ｂとは、左右方向９において互いに対面する面である。さらに、第２傾斜面１４３Ｃと第２傾斜面１４４Ｃとは、左右方向９における第２中間トレイ１３０の内側を向く面である。すなわち、第２傾斜面１４３Ｃと第２傾斜面１４４Ｃとは、左右方向９において互いに対面する面である。
【０１１６】
案内面１４３Ａ、１４４Ａは、前後方向８に沿って延設された面である。すなわち、左右方向９における案内面１４３Ａと案内面１４４Ａとの間隔は、前後方向８において概ね一定である。第１傾斜面１４３Ｂは、案内面１４３Ａの後端から後方に向かって延びる面である。同様に、第１傾斜面１４４Ｂは、案内面１４４Ａの後端から後方に向かって延びる面である。また、第１傾斜面１４３Ｂと第１傾斜面１４４Ｂとは、前後方向８の後方に向かって互いに離間する向き（すなわち、左右方向９における第２中間トレイ１３０の外側）に傾斜する面である。
【０１１７】
第２傾斜面１４３Ｃは、案内面１４３Ａの前端から前方に向かって延びる面である。同様に、第２傾斜面１４４Ｃは、案内面１４４Ａの前端から前方に向かって延びる面である。また、第２傾斜面１４３Ｃと第２傾斜面１４４Ｃとは、前後方向８の前方に向かって互いに離間する向きに傾斜する面である。係止片１４３Ｄは、第２傾斜面１４３Ｃの前端から第２中間トレイ１３０の内側に張り出した部分である。同様に、係合片１４４Ｄは、第２傾斜面１４４Ｃの前端から第２中間トレイ１３０の内側に張り出した部分である。すなわち、係止片１４３Ｄと係止片１４４Ｄとは、互いに近づく向き（すなわち、左右方向９における第２中間トレイ１３０の内側）に張り出している。
【０１１８】
第２中間トレイ１３０の下面には、各々が前後方向８に沿って延びる第９レール部１４５及び第１０レール部１４６が設けられている。第９レール部１４５及び第１０レール部１４６は、第２中間トレイ１３０の下面において、左右方向９に離間した位置に設けられている。左右方向９における第９レール部１４５及び第１０レール部１４６の中央の位置と、左右方向９における第２中間トレイ１３０の中央の位置（図１３（Ｂ）における一点鎖線）とは、一致する。さらに、第２中間トレイ１３０には、その後端から下方に突出し且つ左右方向９に延設されたリブ１４７が設けられている。
【０１１９】
第９レール部１４５は、第９リブ１４５Ａと、第９突出部１４５Ｂとを有する。第９リブ１４５Ａは、第２中間トレイ１３０の下面から下方に突出し且つ前後方向８に延設されている。第９突出部１４５Ｂは、左右方向９における第９リブ１４５Ａの右面から右方に突出し且つ前後方向８に延設されている。第２中間トレイ１３０の下面と第９突出部１４５Ｂの上面とは、上下方向７に離間されている。すなわち、第２中間トレイ１３０の下面と第９突出部１４５Ｂの上面との間には空間が形成されている。さらに、第９突出部１４５Ｂの下面には、下方に突出する凸部１４５Ｃが設けられている。
【０１２０】
第１０レール部１４６は、第１０リブ１４６Ａと、第１０突出部１４６Ｂとを有する。第１０リブ１４６Ａは、第２中間トレイ１３０の下面から下方に突出し且つ前後方向８に延設されている。第１０突出部１４６Ｂは、左右方向９における第１０リブ１４６Ａの左面から左方に突出し且つ前後方向８に延設されている。第２中間トレイ１３０の下面と第１０突出部１４６Ｂの上面とは、上下方向７に離間されている。すなわち、第２中間トレイ１３０の下面と第１０突出部１４６Ｂの上面との間には空間が形成されている。さらに、第１０突出部１４６Ｂの下面には、下方に突出する凸部１４６Ｃが設けられている。
【０１２１】
［第３中間トレイ１５０］
第３中間トレイ１５０は、図１４に示されるように、前後方向８の外形寸法より左右方向９の外形寸法が長い矩形の平板形状である。第３中間トレイ１５０の左右方向９の外形寸法は、第２中間トレイ１３０の中央部１３０Ａの左右方向９の外形寸法と概ね同じである。すなわち、第３中間トレイ１５０の左右方向９の外形寸法は、第２中間トレイ１３０の左右方向９の外形寸法より小さい。第３中間トレイ１５０の上面は、前後方向８及び左右方向９に沿った概ね平面である。
【０１２２】
第３中間トレイ１５０の上面には、前後方向８の前端で且つ左右方向９の中央に概ね矩形の凹部１５１が設けられている。凹部１５１は、第３中間トレイ１５０が第２中間トレイ１３０から引き出された（すなわち、第３中間トレイ１５０が後述される第３露出位置に位置する）状態において、第２中間トレイ１３０から露出される位置に設けられている。凹部１５１は、回動トレイ１６０が収容される空間である。したがって、凹部１５１は、回動トレイ１６０の外形より若干大きく、且つ上下方向７における回動トレイ１６０の厚みより若干深い。また、前後方向８における第３中間トレイ１５０の前端部で且つ凹部１５１より左右方向９の外側には、一対の軸受部１５２が設けられている。一対の軸受部１５２は、後述される回動トレイ１６０の一対の支軸１６１を回動自在に支持する。
【０１２３】
第３中間トレイ１５０の下面には、左右方向９の両端部において前後方向８に延設された一対のスリット１５３が設けられている。また、第３中間トレイ１５０には、その前端から下方に突出し且つ左右方向９に延設されたリブ１５４が設けられている。一対のスリット１５３の前端は、リブ１５４によって閉鎖されている。一方、一対のスリット１５３の後端は、開放されている。排出トレイ２１を倒伏位置に位置させた状態において、一対のスリット１５３は、第１突起８４及び第２突起８５と対面する位置に配置される。すなわち、第１突起８４及び第２突起は、倒伏位置の排出トレイ２１のスリット１５３の内部に配置される。そして、排出トレイ２１を倒伏位置に位置させた状態において、給送トレイ２０及び排出トレイ２１の一方を伸長或いは収縮させると、第１突起８４及び第２突起８５は、スリット１５３の内部を前後方向８に移動する。
【０１２４】
第３中間トレイ１５０の左右方向９の両端部には、第３係合部１５７、１５８が設けられている。第３係合部１５７は、左右方向９において、第１中間トレイ１１０の第１係合部１１７及び第２中間トレイの第２係合部１３７より排出トレイ２１の内側に設けられている。同様に、第３係合部１５８は、左右方向９において、第１中間トレイ１１０の第１係合部１１８及び第２中間トレイの第２係合部１３８より排出トレイ２１の内側に設けられている。
【０１２５】
第３係合部１５７は、第３中間トレイ１５０の前方且つ外方に延びる弾性部１５７Ａと、弾性部１５７Ａの先端（前後方向８の前方側の端部）から左右方向９の外方へ突出する突出部１５７Ｂとで構成される。弾性部１５７Ａは、前後方向８の後方側の端部を基点として、突出部１５７Ｂを左右方向９に変位させる向きに弾性変形する。突出部１５７Ｂは、第２中間トレイ１３０の被係合部１４３に係合される。同様に、第３係合部１５８は、第３中間トレイ１５０の前方且つ外方に延びる弾性部１５８Ａと、弾性部１５８Ａの先端（前後方向８の前方側の端部）から左右方向９の外方へ突出する突出部１５８Ｂとで構成される。弾性部１５８Ａは、前後方向８の後方側の端部を基点として、突出部１５８Ｂを左右方向９に変位させる向きに弾性変形する。突出部１５８Ｂは、第２中間トレイ１３０の被係合部１４４に係合される。
【０１２６】
第２中間トレイ１３０に収納された第３中間トレイ１５０の突出部１５７Ｂは、左右方向９において、被係合部１４３の第１傾斜面１４３Ｂと対面する。すなわち、上記の状態において、突出部１５７Ｂと第１傾斜面１４３Ｂとは、係合する。なお、突出部１５７Ｂと第１傾斜面１４３Ｂとの係合力は、第２係合部１３７と被係合部１０７との係合力より弱く設定されている。同様に、第２中間トレイ１３０に収納された第３中間トレイ１５０の突出部１５８Ｂは、左右方向９において、被係合部１４４の第１傾斜面１４４Ｂと対面する。すなわち、上記の状態において、突出部１５８Ｂと第１傾斜面１４４Ｂとは、係合する。なお、突出部１５８Ｂと第１傾斜面１４４Ｂとの係合力は、第２係合部１３８と被係合部１０８との係合力より弱く設定されている。本明細書中における「係合力」とは、係合を解除するために必要な力を指すものとする。突出部１５７Ｂが第１傾斜面１４３Ｂに係合され且つ突出部１５８Ｂが第１傾斜面１４４Ｂに係合される時の第３中間トレイ１５０の位置は、第３収納位置の一例である。
【０１２７】
第３収納位置の第３中間トレイ１５０を第２中間トレイ１３０から引き出すと、突出部１５７Ｂは、弾性部１５７Ａの弾性変形によって第１傾斜面１４３Ｂに沿って左右方向９の内方へ変位し、変位した状態で案内面１４３Ａに案内される。さらに第３中間トレイ１５０を第２中間トレイ１３０から引き出すと、突出部１５７Ｂが第２傾斜面１４３Ｃに沿って左右方向９の外方へ変位することによって、弾性部１５７Ａが元の位置に弾性復帰する。同様に、第３収納位置の第３中間トレイ１５０を第２中間トレイ１３０から引き出すと、突出部１５８Ｂは、弾性部１５８Ａの弾性変形によって第１傾斜面１４４Ｂに沿って左右方向９の内方へ変位し、変位した状態で案内面１４４Ａに案内される。さらに第３中間トレイ１５０を第２中間トレイ１３０から引き出すと、突出部１５８Ｂが第２傾斜面１４４Ｃに沿って左右方向９の外方へ変位することによって、弾性部１５８Ａが元の位置に弾性復帰する。さらに、突出部１５７Ｂが係止片１４３Ｄに係止され且つ突出部１５８Ｂが係止片１４４Ｄに係止される位置において、第２中間トレイ１３０からの第３中間トレイ１５０のそれ以上の引き出しが規制される。
【０１２８】
第３中間トレイ１５０の上面には、前後方向８の後端から前後方向８に沿って延びる凹溝１５５、１５６が形成されている。凹溝１５５、１５６は、第３中間トレイ１５０の左右方向９の中央に対して左右対称な位置に配置されている。凹溝１５５の右端を画定する壁面には、当該壁面から左右方向９の内方（左方）に突出し且つ前後方向８に延設された庇部１５５Ａが設けられている。同様に、凹溝１５６の左端を画定する壁面には、当該壁面から左右方向９の内方（右方）に突出し且つ前後方向８に延設された庇部１５６Ａが設けられている。
【０１２９】
庇部１５５Ａは、凹溝１５５の右側の領域を上方から覆う。すなわち、上下方向７及び左右方向９を含む凹溝１５５の断面を前方側から見ると、Ｌ字形状である。凹溝１５５には、第２中間トレイ１３０の第９レール部１４５が挿通される。より詳細には、庇部１５５Ａで覆われていない凹溝１５５の空間に第９レール部１４５の第９リブ１４５Ａが進入し、庇部１５５Ａで覆われた凹溝１５５の空間に第９レール部１４５の第９突出部１４５Ｂが進入する。換言すれば、第２中間トレイ１３０の下面と第９突出部１４５Ｂの上面との間の空間に庇部１５５Ａが進入する。
【０１３０】
庇部１５６Ａは、凹溝１５６の左側の領域を上方から覆う。すなわち、上下方向７及び左右方向９を含む凹溝１５６の断面を前方側から見ると、逆Ｌ字形状である。凹溝１５６には、第２中間トレイ１３０の第１０レール部１４６が挿通される。より詳細には、庇部１５６Ａで覆われていない凹溝１５６の空間に第１０レール部１４６の第１０リブ１４６Ａが進入し、庇部１５６Ａで覆われた凹溝１５６の空間に第１０レール部１４６の第１０突出部１４６Ｂが進入する。換言すれば、第１中間トレイ１１０の下面と第１０突出部１４６Ｂの上面との間の空間に庇部１５６Ａが進入する。
【０１３１】
凹溝１５５の後端側の一部は、庇部１５５Ａによって覆われていない。そして、庇部１５５Ａに覆われていない凹溝１５５の後端側の領域において、凹溝１５５の奥面（底面）を画定する壁面には、上下方向７の上向きへ突出する凸部１５５Ｂが設けられている。凸部１５５Ｂは、上下方向７及び前後方向８を含む断面が略三角形であり、上方へ向かって先細りする形状である。同様に、凹溝１５６の後端側の一部は、庇部１５６Ａによって覆われていない。そして、庇部１５６Ａに覆われていない凹溝１５６の後端側の領域において、凹溝１５６の奥面（底面）を画定する壁面には、上下方向７の上向きへ突出する凸部１５６Ｂが設けられている。凸部１５６Ｂは、上下方向７及び前後方向８を含む断面が略三角形であり、上方へ向かって先細りする形状である。左右方向９において、凸部１５５Ｂは第２中間トレイ１３０の凸部１４５Ｃに対応する位置に配置され、凸部１５６Ｂは第２中間トレイ１３０の凸部１４６Ｃ対応する位置に配置されている。
【０１３２】
凸部１３５Ｂは、第３中間トレイ１５０が第２中間トレイ１３０から最大限引き出された時に、第２中間トレイ１３０の凸部１４５Ｃに係合されて、第２中間トレイ１３０と第３中間トレイ１５０とを前後方向８に位置決めする。同様に、凸部１３５Ｂは、第３中間トレイ１５０が第２中間トレイ１３０から最大限引き出された時に、第２中間トレイ１３０の凸部１４６Ｃに係合されて、第２中間トレイ１３０と第３中間トレイ１５０とを前後方向８に位置決めする。第２中間トレイ１３０の凸部１４５Ｃに凸部１５５Ｂが係合され且つ第２中間トレイ１３０の凸部１４６Ｃに凸部１５６Ｂが係合された時の第３中間トレイ１５０の位置は、第３露出位置の一例である。第３露出位置における第２中間トレイ１３０と第３中間トレイ１５０との重畳面積は、第３収納位置における第２中間トレイ１３０と第３中間トレイ１５０との重畳面積より小さい。
【０１３３】
［回動トレイ１６０］
回動トレイ１６０は、図１５に示されるように、前後方向８の外形寸法より左右方向９の外形寸法が長い矩形の平板形状である。回動トレイ１６０の左右方向９の外形寸法は、第３中間トレイ１５０の左右方向９の外形寸法よりも短く、第３中間トレイ１５０の凹部１５１の左右方向９の外形寸法より若干短い。回動トレイ１６０の左右方向９の両側には、左右方向９の外方へ突出する一対の支軸１６１が設けられている。一対の支軸１６１が第３中間トレイ１５０の一対の軸受部１５２にそれぞれ支持されることにより、回動トレイ１６０が第３中間トレイ１５０に対して回動可能となる。
【０１３４】
回動トレイ１６０は、第３中間トレイ１５０の上面に重畳する重畳位置と、第３中間トレイ１５０から排出向き１８へ突出する突出位置との間を回動する。なお、突出位置の回動トレイ１６０は、排出向き１８と厳密に平行である必要はない。例えば、突出位置の回動トレイ１６０は、例えば図１８に示されるように、第３中間トレイ１５０の前方で且つ上方へ突出していてもよい。すなわち、重畳位置の回動トレイ１６０は、回動先端が回動基端より排出向き１８の上流側に位置していればよい。一方、突出位置の回動トレイ１６０は、回動先端が回動基端より排出向き１８の下流側に位置していればよい。
【０１３５】
上記構成の排出トレイ２１において、第１中間トレイ１１０を第１収納位置に位置させ、第２中間トレイ１３０を第２収納位置に位置させ、第３中間トレイ１５０を第３収納位置に位置させ、回動トレイ１６０を重畳位置に位置させると、図１６に示されるように、第１係合部１１８及び第２係合部１３８は、上下方向７に隣接した状態で被係合部１０８に係合される。なお、図示は省略するが、第１係合部１１７及び第２係合部１３７も、上下方向７に隣接した状態で被係合部１０７に係合される。一方、第３係合部１５８は、被係合部１４４の第１傾斜面１４４Ｂに係合される。なお、図示は省略するが、第３係合部１５７も被係合部１４３の第１傾斜面１４３Ｂに係合される。すなわち、第１中間トレイ１１０及び第２中間トレイ１３０が本体トレイ１００に係合され、第３中間トレイ１５０が第２中間トレイ１３０に係合される。
【０１３６】
次に、ユーザが第３中間トレイ１５０を把持して第２中間トレイ１３０から引き出すと、図１７に示されるように、第３係合部１５７と第１傾斜面１４３Ｂとの係合が解除され、第３露出位置において第３係合部１５７が係止片１４３Ｄに係止される。なお、図示は省略するが、第３係合部１５８と第１傾斜面１４４Ｂとの係合も解除され、第３露出位置において第３係合部１５８が係止片１４４Ｄに係止される。この状態で第３中間トレイ１５０をさらに引き出そうとすると、第２係合部１３７と被係合部１０７との係合が解除される。なお、図示は省略するが、第２係合部１３８と被係合部１０８との係合も解除される。これにより、第２中間トレイ１３０が第１中間トレイ１１０から引き出される。
【０１３７】
第２トレイ７２が第１位置に位置し且つ排出トレイ２１が倒伏位置に位置する状態で上記の操作が行われた場合、図１８（Ａ）に示されるように、第２中間トレイ１３０のリブ１４７が第１突起８４に係止され、第２中間トレイ１３０のそれ以上の引き出しが規制される。リブ１４７の排出向き１８の下流側の壁面と第１突起８４とが当接する時の第２中間トレイの位置は、中途位置の一例である。中途位置は、前後方向８において、第２収納位置と第２露出位置との間に位置する。
【０１３８】
第２トレイ７２が第１位置に位置し、第１中間トレイ１１０が第１収納位置に位置し、第２中間トレイ１３０が中途位置に位置し、第３中間トレイ１５０が第３露出位置に位置し、回動トレイ１６０が突出位置に位置する時の排出トレイ２１は、図５及び図１８（Ａ）に示される状態となる。排出トレイ２１は、図５及び図１８（Ａ）に示される状態において、Ａ４サイズの記録用紙を支持することができる。より詳細には、図５及び図１８（Ａ）に示される排出トレイ２１は、長手方向が左右方向９を向いたＡ４サイズの記録用紙を支持することができる。
【０１３９】
一方、図４（Ａ）に示される状態の第１トレイ７１から第２トレイ７２を引き出すと、第３中間トレイ１５０のリブ１５４が第２突起８５に係止される。すなわち、リブ１５４の排出向き１８の上流側の壁面と第２突起８５とが当接する。この状態で第２トレイ７２をさらに引き出すと、第２トレイ７２の移動に連動して、第３中間トレイ１５０、第２中間トレイ１３０、及び第１中間トレイ１１０が、この順に各収納位置から各露出位置へ移動される。
【０１４０】
第２トレイ７２が第２位置に位置し、第１中間トレイ１１０が第１収納位置に位置し、第２中間トレイ１３０が第２露出位置に位置し、第３中間トレイ１５０が第３露出位置に位置し、回動トレイ１６０が突出位置に位置する時の排出トレイ２１は、図６及び図１８（Ｂ）に示される状態となる。排出トレイ２１は、図６及び図１８（Ｂ）に示される状態において、Ｂ４サイズの記録用紙を支持することができる。より詳細には、図６及び図１８（Ｂ）に示される排出トレイ２１は、長手方向が前後方向８を向いたＢ４サイズの記録用紙を支持することができる。
【０１４１】
また、第２トレイ７２が第３位置に位置し、第１中間トレイ１１０が第１露出位置に位置し、第２中間トレイ１３０が第２露出位置に位置し、第３中間トレイ１５０が第３露出位置に位置し、回動トレイ１６０が突出位置に位置する時の排出トレイ２１は、図７及び図１８（Ｃ）に示される状態となる。排出トレイ２１は、図７及び図１８（Ｃ）に示される状態において、Ａ３サイズの記録用紙を支持することができる。より詳細には、図７及び図１８（Ｃ）に示される排出トレイ２１は、長手方向が前後方向８を向いたＡ３サイズの記録用紙を支持することができる。
【０１４２】
なお、筐体１４の内部において、給送トレイ２０及び排出トレイ２１を収容する空間の上端を画定する上壁には、図１９に示されるように、上下方向７において、本体トレイ１００の上面に設けられた一対のリブ１０９に対向する対向部１４Ａが設けられている。対向部１４Ａは、倒伏位置の排出トレイ２１の一対のリブ１０９と上下方向７に離間している。一方、開口１３を通じて筐体１４に給送トレイ２０及び排出トレイ２１が装着された状態において、排出トレイ２１を倒伏位置から起立位置へ回動させようとすると、一対のリブ１０９と対向部１４Ａとが当接する。すなわち、対向部１４Ａは、倒伏位置から起立位置への排出トレイ２１の回動を規制する規制部の一例である。
【０１４３】
すなわち、上述したように、筐体１４に装着された状態の排出トレイ２１は、第２トレイ７２が第１位置に位置している状態において、図５及び図１８（Ａ）に示される位置までしか引き出すことができない。また、排出トレイ２１は、第２トレイ７２が第１トレイ７１から引き出されるのに連動して、図６及び図１８（Ｂ）に示される状態、或いは図７及び図１８（Ｃ）に示される状態まで引き出される。
【０１４４】
［本実施形態の作用効果］
本実施形態によれば、図４（Ａ）に示されるように、排出トレイ２１を倒伏位置に位置させた状態で第１トレイ７１側から操作部材９２を操作することができる。また、図４（Ｂ）に示されるように、排出トレイ２１を起立位置に位置させた状態で第１トレイ７１及び第２トレイ７２の両側から操作部材９２を操作することができる。すなわち、ロック機構９０の操作性が向上する。また、第２支持面を覆う排出トレイ２１に、操作部材９２をユーザに操作させるための貫通孔を設ける必要がないので、給送トレイ２０内への異物や埃の侵入を抑制することができる。
【０１４５】
また、本実施形態によれば、係合部材９１と操作部材９２とをリンク部材９３で接続することにより、操作部材９２の移動が係合部材９１にスムーズに伝達される。また、付勢部材９４によって操作部材９２をロック位置へ向けて付勢することにより、ロック機構９０による規制が意図せず解除されるのを抑制することができる。
【０１４６】
なお、操作部材９２の移動方向は左右方向９に限定されない。すなわち、操作部材９２が接続されるリンク部材９３の位置を変更することにより、操作部材９２の任意の方向の移動によって係合部材９１を左右方向９に移動させることができる。また、操作部材９２の移動を係合部材９１に伝達する方法はリンク部材９３に限定されない。例えば、係合部材９１と操作部材９２とを連結部材によって連結することによって、係合部材９１と操作部材９２とを一体的に移動させてもよい。
【符号の説明】
【０１４７】
１０・・・複合機
１４・・・プリンタ筐体
１４Ａ・・・対向部
１７・・・給送向き
２０・・・給送トレイ
２１・・・排出トレイ
２５・・・給送ローラ
２６・・・給送アーム
４３，４４・・・当接部材
６３・・・搬送ローラ対
６６・・・排出ローラ対
７１・・・第１トレイ
７２・・・第２トレイ
９０・・・ロック機構
９１・・・係合部材
９２・・・操作部材
９３・・・リンク部材
９４・・・付勢部材
【図１】
2015110470.tif 000003
【図２】
2015110470.tif 000004
【図３】
2015110470.tif 000005
【図４】
2015110470.tif 000006
【図５】
2015110470.tif 000007
【図６】
2015110470.tif 000008
【図７】
2015110470.tif 000009
【図８】
2015110470.tif 000010
【図９】
2015110470.tif 000011
【図１０】
2015110470.tif 000012
【図１１】
2015110470.tif 000013
【図１２】
2015110470.tif 000014
【図１３】
2015110470.tif 000015
【図１４】
2015110470.tif 000016
【図１５】
2015110470.tif 000017
【図１６】
2015110470.tif 000018
【図１７】
2015110470.tif 000019
【図１８】
2015110470.tif 000020
【図１９】
2015110470.tif 000021